(57)【要約】      （修正有）【課題】手入れの面倒が無く、また電熱線が高温に発熱する危険を防止でき、更に結露の発生を効果的に防止できる結露防止用放熱器を提供する。【解決手段】放熱パネル２は、側面部が平坦な縦長楕円形の中空管からなる横長の放熱管３と、放熱管３内に倒置Ｕ字状に配設され、外部の電源コードに接続される電熱線４とから構成されている。複数枚の放熱パネルが長手方向両端側にホルダー６、８を嵌着することにより、互いに間隙を存して鉛直状態で平行に列設され、かつ載置面との間には所定の空間が形成されている。放熱管３の各々は塵埃が容易に付着しないように側面部が平滑に形成され、内側には電熱線の上側線部４Ａが垂れて下側線部４Ｂに接近するのを防止するために接近防止部５が長手方向に設けられている。【選択図】図３
0003187477.tif 000002
【実用新案登録請求の範囲】
【請求項１】
側面部が平坦な縦長楕円形の中空管からなる横長の放熱管と、該放熱管内に倒置Ｕ字状に配設し、外部の電源コードに接続される電熱線とから放熱パネルを構成し、該放熱パネルの複数枚は長手方向両端側にホルダーを一体に嵌着することにより、互いに間隙を存して鉛直状態で平行に列設し、かつ載置面との間に所定の空間を形成するように構成し、前記各放熱管によって加温されて上昇する暖気によって結露を防止するようにした結露防止用放熱器であって、前記放熱管の各々は前記側面部を平滑面に形成し、内側には倒置Ｕ字状に配設した前記電熱線の上側線部が垂れて下側線部に接近するのを防止する接近防止部を設けた構成にしてあることを特徴とする結露防止用放熱器。
【請求項２】
前記接近防止部は、前記放熱管の長手方向に沿って配設した長尺の絶縁性仕切り材であることを特徴とする請求項１記載の結露防止用放熱器。
【請求項３】
前記接近防止部は、前記放熱管の内面に上側寄りに位置して長手方向に沿って形成した突条であることを特徴とする請求項１記載の結露防止用放熱器。
【請求項４】
前記ホルダーは、台部と、該台部に回動可能に支持された状態で前記放熱パネルを嵌着するホルダー本体とから構成し、該放熱パネルは所望の角度に傾斜可能にしてあることを特徴とする請求項１記載の結露防止用放熱器。
【請求項５】
前記両ホルダーは、昇降機構によって載置面に対する前記放熱パネルの高さを調節可能にしてあることを特徴とする請求項１記載の結露防止用保熱器。
【考案の詳細な説明】
【技術分野】
【０００１】
本考案は、建屋の窓下等に設置して下方から暖気を放出することにより窓ガラスや壁に結露が生じるのを防止する結露防止用放熱器に関する。
【背景技術】
【０００２】
低い外気温によって冷却された窓ガラスや金属壁に建屋内の湿った暖かい空気が接すると、空気中の水分が凝固して結露現象が生じる。結露状態はそのまま放置すると水滴になって窓枠や壁を濡らし、変色、腐食、黴発生の原因になるという問題、室温を低下させて暖房費のコスト増を招くという問題がある。日常では、手拭で窓ガラスや窓枠の結露を拭き取ることが行われているが、面倒な作業であるし、拭き忘れもあることで完全な対策ではない。そこで、窓の下側から熱流を上昇させることにより結露を防止するようにした結露防止用ヒーターが提案されている（特許文献１）。
【０００３】
上記先行技術は、複数枚の帯状板の発熱体２を隙間５を介して鉛直方向に平行に配列し、発熱体２は表面が波状又はジグザグ状の外殻３の内側に炭素繊維ヒーターを挿入した構成とし、発熱体２の幅方向を上下方向に向けると共に、発熱体２の長手方向を水平方向に向けて両端部を可搬性の枠６に嵌着自在に取り付け、これら発熱体２間の隙間５の開口縁の下縁側を空気導入口５ａとし、上縁側を熱風放出口５ｂとする構成からなる。
【先行技術文献】
【特許文献】
【０００４】
【特許文献１】特許第４３０１７５２号特許公報
【考案の概要】
【考案が解決しようとする課題】
【０００５】
上述した先行技術は、結露の防止に相応の効果を発揮するが、発熱体２は外殻３の表面を波状又はジグザグ状に形成してあるために塵埃が付着し易く早期に汚れが目立つという問題、特に隙間５内に塵が溜り易いという問題があり、このため定期的に手入れが必要である。また、外殻３の内側に略倒置Ｕ字状に配設する炭素繊維ヒーターが垂れて下側の線に接近すると発熱温度が上昇して高温になるが、この炭素繊維ヒーターの垂れを防止して温度をコントロールするという構成になっていない問題がある。
【０００６】
本考案は上述した従来技術の問題点に鑑みなされたもので、放熱管の側面部を平滑面にして塵埃が容易に付着しない形状にすることにより手入れの面倒が無く、また電熱線が垂れるのを防止して発熱温度が高温にならないように温度コントロールすることができ、更に放熱管を傾斜或いは昇降させることで結露の発生を効果的に防止できるようにした結露防止用放熱器を提供することを目的とする。
【課題を解決するための手段】
【０００７】
上述した課題を解決するために構成した本考案の手段は、側面部が平坦な縦長楕円形の中空管からなる横長の放熱管と、該放熱管内に倒置Ｕ字状に配設し、外部の電源コードに接続される電熱線とから放熱パネルを構成し、該放熱パネルの複数枚は長手方向両端側にホルダーを一体に嵌着することにより、互いに間隙を存して鉛直状態で平行に列設し、かつ載置面との間に所定の空間を形成するように構成し、前記各放熱管によって加温されて上昇する暖気によって結露を防止するようにした結露防止用放熱器であって、前記放熱管の各々は前記側面部を平滑面に形成し、内側には倒置Ｕ字状に配設した前記電熱線の上側線部が垂れて下側線部に接近するのを防止する接近防止部を設けたものからなる。
【０００８】
そして、前記接近防止部は、前記放熱管の長手方向に沿って配設した長尺の絶縁性仕切り材であるとよい。
【０００９】
また、前記接近防止部は、前記放熱管の内面に上側寄りに位置して長手方向に沿って形成した突条であるとよい。
【００１０】
更に、前記ホルダーは、台部と、該台部に回動可能に支持された状態で前記放熱パネルを嵌着するホルダー本体とから構成し、前記放熱パネルは所望の角度に傾斜可能にするとよい。
【００１１】
また、前記両ホルダーは、昇降機構によって載置面に対する前記放熱パネルの高さを調節可能にするとよい。
【考案の効果】
【００１２】
（１）放熱管内に電熱線を配設した放熱パネルの複数枚を互いに間隙を存した状態で鉛直状態に列設し、長手方向両端側にキャップを嵌着して一体化した結露防止用保熱器は、放熱管の各々の側面部を平滑面に形成し、内面には電熱線の上側線部が垂れるのを防止する接近防止部を設けたから、放熱管が塵埃に汚れ、間隙に塵埃が溜まるのを可及的に防止できるし、電熱線が垂れて発熱温度が上昇するのを防止して温度のコントロールができる。
（２）放熱管内に接近防止部として絶縁性仕切り材を設けたから、倒置Ｕ字状に配設した電熱線の上下が接近して発熱温度が上昇するのを防止することができる。
（３）放熱管の内面上部側に長手方向に沿って突条を形成したから、倒置Ｕ字状に配設した電熱線の上下が接近して発熱温度が上昇するのを防止することができる。
（４）ホルダーは台部に対してホルダー本体を回動可能に設け、放熱パネルは所望の角度に傾斜可能にしたから、結露防止部位に暖気を下方からも斜め方向からも流動させることができる。
（５）ホルダーは、昇降機構により載置面に対する放熱パネルの高さを調節可能にしたから、載置面と結露防止部位との間が離れている場合でも放熱パネルンの高さを上げることで凍結防止効果を高めることができる。
【図面の簡単な説明】
【００１３】
【図１】本考案の実施の形態に係る結露防止用放熱器の正面図である。
【図２】結露防止用放熱器の側面図である。
【図３】図１中のＩＩＩ−ＩＩＩ矢示方向断面図である。
【図４】図２中のＩＶ−ＩＶ矢示方向拡大断面図である。
【図５】変形例に係る放熱パネルの拡大縦断面図である。
【図６】図６及び図７は第２の実施の形態に係り、図６は結露防止用放熱器を構成する一側ホルダーの側面図である。
【図７】一側ホルダーの回動可能な状態の説明図である。
【図８】第３の実施の形態に係る結露防止用放熱器の側面図である。
【考案を実施するための形態】
【００１４】
以下、本考案の実施の形態を図面に基づき詳述する。図１乃至図５は第１の実施の形態を示し、図において１は結露防止用放熱器、２、２、・・は該結露防止用放熱器１（以下、放熱器１と称する。）を構成する４本の放熱パネルを示す。３は該各放熱パネル２を構成するアルミニュウム製の放熱管で、該放熱管３は平坦な左右の側面部３Ａ、３Ａと、該側面部３Ａ、３Ａの上下両端に続くＵ字状の上下の湾曲部３Ｂ、３Ｂとから縦長楕円形の中空管に形成してあり、長手方向両端側にボルト挿通孔３Ｃ、３Ｃが形成してある。
【００１５】
４は放熱パネル２を構成し、前記放熱管３内に配設した電熱線としての炭素繊維ヒーターを示す。該炭素繊維ヒーター４は放熱管３内に倒置Ｕ字状に配設してあり、両端は後述する一側ホルダー６内に伸長している。５は接近防止部としてのガラス繊維編組チューブを示す。該チューブ５は極めて軽量な部材で、一端側が一側ホルダー６に支持されて放熱管３内に長手方向に配設することにより、電熱線４の上側線部４Ａが垂れて下側線部４Ｂに接近することによる発熱温度の上昇を防止して温度をコントロールしている。
【００１６】
６は上述の構成からなる４枚の放熱パネル２、２、・・を所定の間隙、本実施の形態では５ｍｍの間隙Ｓで鉛直の状態で一体に組み付ける合成樹脂製の一側ホルダーを示す。該一側ホルダー６は床面Ｆや窓枠に載置する台部６Ａと、該台部６Ａから内向きに突設したねじ止め用固定片６Ｂと、台部６Ａ上に形成され、各放熱管３の一端側を挿嵌する管嵌合部６Ｃ１を形成したホルダー本体６Ｃと、該ホルダー本体６Ｃに水平方向に形成したボルト挿通孔６Ｄとから成形してある。そして、一側ホルダー６には電熱線４を図示しない電源コードと接続し、電熱線４への給電を制御する電源スイッチ７が設けてある。
【００１７】
８は４枚の放熱パネル２、２、・・の他端側を一体に支持する他側ホルダーで、該他側ホルダー８は一側ホルダー６と同様に台部８Ａと、ねじ止め用固定片８Ｂと、台部８Ａ上に形成され、各放熱管３の他端側を挿嵌する管嵌合部８Ｃ１を形成したホルダー本体８Ｃと、該ホルダー本体８Ｃに水平方向に形成したボルト挿通孔８Ｄとから成形してある。
そして、上述の形態からなる両ホルダー６、８は、放熱パネル２を床面Ｆから約２０ｍｍ離間させることで床面Ｆ側から放熱パネル２の間隙Ｓに空気が流入するための空間Ａを確保する高さに形成してある。
【００１８】
９、９は前記一側及び他側ホルダー６、８に挿嵌した放熱パネル２、２、・・を各ホルダー６、８に固定するための通しボルトを示す。該通しボルト９、９は各ホルダー６、８のボルト挿通穴６、８から放熱パネル２のボルト孔３Ｃに一体に挿通してあり、各放熱パネル２がホルダー６、８から離脱しないように固定してある。
【００１９】
本実施の形態に係る結露防止用放熱器１は上述の構成からなるもので、結露が生じ易い窓下の床面Ｆや窓枠に載置し、放熱パネル２を発熱させて暖気を生成する。暖気の上昇気流によって床面Ｆ側の空気が順次放熱パネル２の側面部３Ａ及び各間隙Ｓに導入され、約２５〜３０度に加温された暖気は間隙Ｓの全長から面状に上昇してガラス窓や壁面に流動接触することで、建屋内の空気中の水分がガラス面や壁面に接触して凝固するのを防止する。また、暖気が継続的に生成されて室内に流動することで、室内の上部から冷気が降下するのを防止し、また室温の低下を防止することができる。
【００２０】
図５は本実施の形態の変形例を示し、その特徴は放熱パネル１１を構成する放熱管１２の接近防止部として、放熱管１２の内面１２Ａの上部側及び下部側に長手方向に伸長する左右一対の突条１３、１３を形成したことにある。この突条１３、１３は電熱線４の上側線部４Ａが垂れないようにすることで、下側線部４Ｂに接近することによる発熱温度の上昇を防止するものである。
【００２１】
また、図示しないが、前記チューブ５や突条１３に代えて、放熱管３内を上下に仕切る仕切り材を長手方向に形成することにより接近防止部としてもよく、突条１３及び仕切り材は放熱管３と一体成形ができるメリットがある。
【００２２】
図６、図７は第２の実施の形態に係る結露防止用放熱器２１を示す。２２は該放熱器２１を構成する放熱パネルを示し、該放熱パネル２２の特徴は放熱管３を傾斜可能に構成したことにある。即ち、放熱管３を支持する一側ホルダー２３は、台部２３Ａと、該台部２３Ａに嵌合してピン結合し矢示イ、ロ方向に回動可能に連結したホルダー本体２３Ｂとから構成したことにある。なお、他側ホルダーも同様に構成してある。
このように放熱パネル２２を傾斜可能に構成することで、結露防止が必要なガラス窓や壁面の直下に載置できない場合でも当該結露防止部位に向けて暖気を流動させることができ、結露防止の効果を高めることができる。
【００２３】
図８は第３の実施の形態に係る結露防止用放熱器２５を示し、該放熱器２５は第１の実施の形態と同様の構成からなる放熱パネル２６と左右のホルダー２７、２８とから構成してある。２９は左右のホルダー２７、２８の台部２７Ａ、２８Ａに軸着した昇降機構で、該昇降機構２９は長尺の合成樹脂製の載置枠体２９Ａと、先端側をピン結合して中間部が略く字状に屈曲可能な構成とし、下端側は該載置枠体２９Ａの両端側に軸着し、上端側は一側ホルダー２７の台部２７Ａ及び他側ホルダー２８の台部２８Ａに軸着した左右の屈曲脚２９Ｂ、２９Ｂとから構成してある。なお、載置枠体２９Ａは枠状に構成することで、各昇降脚２９Ｂを格納可能にしてある。
【００２４】
なお、昇降機構は上記の屈曲脚式に限らず、パンタグラフ式でもねじ軸式でもよいものである。
【００２５】
このように、放熱器２５に昇降機構２９を設けて放熱パネル２６が矢示ハ、ニ方向に昇降可能にしたから、例えば床面Ｆから窓ガラスまでの高さが高い場合でも、放熱パネル２６を上昇させて位置調節することにより、暖気を確実に送ることで結露を効果的に防止することができる。
【００２６】
なお、本考案の結露防止用放熱器１（２１、２５）は、生成する暖気の温度が保温程度で高温でなく安全性が高いし、持ち運びが容易であるから、例えば机の下、トイレ、ソファーの足元等、保温が必要な場所に載置して使用することが可能である。
【符号の説明】
【００２７】
１、２１、２５    結露防止用放熱器
２、１１、２２、２６  放熱パネル
３、１２    放熱管
３Ａ        側面部
４          電熱線
５、１３    接近防止部
６、２３、２７    一側ホルダー
８、２８    他側ホルダー
２９        昇降機構
Ｓ          間隙
Ａ          空間
【図１】
0003187477.tif 000003
【図２】
0003187477.tif 000004
【図３】
0003187477.tif 000005
【図４】
0003187477.tif 000006
【図５】
0003187477.tif 000007
【図６】
0003187477.tif 000008
【図７】
0003187477.tif 000009
【図８】
0003187477.tif 000010